(57)【要約】  本発明は、センサエレメント（ＷＳＳ）と、それぞれ１つずつ評価制御ユニット（３Ａ，３Ｂ）及びエネルギ源（ＶＢ１，ＶＢ２）を有する少なくとも２つの制御装置（ＥＣＵ１，ＥＣＵ２）とを含む、車両用のセンサ装置（１）であって、第１の制御装置（ＥＣＵ１）内で、第１の評価制御ユニット（３Ａ）が第１のエネルギ源（ＶＢ１）に接続されており、第２の制御装置（ＥＣＵ２）内で、第２の評価制御ユニット（３Ｂ）が第２のエネルギ源（ＶＢ２）に接続されており、少なくとも２つの制御装置（ＥＣＵ１，ＥＣＵ２）とセンサエレメント（ＷＳＳ）とは、少なくとも１つの別個の接続モジュール（１０）を介して相互に接続されており、各接続モジュール（１０）は、対応するセンサエレメント（ＷＳＳ）の第１の端子（ＷＳＳ１）を第１のエネルギ源（ＶＢ１）及び／又は第２のエネルギ源（ＶＢ２）に接続し、センサエレメント（ＷＳＳ）の第２の端子（ＷＳＳ２）は、アースに接続されており、センサエレメント（ＷＳＳ）を通って流れるセンサ電流（ＩＳ）は、少なくとも、検出される測定量に関する情報によって変調されており、第１の評価制御ユニット（３Ａ）及び／又は第２の評価制御ユニット（３Ｂ）は、検出されたセンサ電流（ＩＳ）を評価し、接続モジュール（１０）は、接続されたエネルギ源（ＶＢ１，ＶＢ２）が故障した場合に、それぞれセンサエレメント（ＷＳＳ）の第１の端子（ＷＳＳ１）を他方のエネルギ源（ＶＢ２，ＶＢ１）に接続する、センサ装置（１）に関する。接続モジュール（１０）は、センサ電流を表す信号を形成して第１の評価制御ユニット（３Ａ）又は第２の評価制御ユニット（３Ｂ）に供給する電流センサを含み得る。
2021517318.tif 000002
【特許請求の範囲】
【請求項１】
センサエレメント（ＷＳＳ）と、それぞれ１つずつ評価制御ユニット（３Ａ，３Ｂ）及びエネルギ源（ＶＢ１，ＶＢ２）を有する少なくとも２つの制御装置（ＥＣＵ１，ＥＣＵ２）とを含むセンサ装置（１）であって、
第１の制御装置（ＥＣＵ１）内で、第１の評価制御ユニット（３Ａ）が第１のエネルギ源（ＶＢ１）に接続されており、第２の制御装置（ＥＣＵ２）内で、第２の評価制御ユニット（３Ｂ）が第２のエネルギ源（ＶＢ２）に接続されており、
前記少なくとも２つの制御装置（ＥＣＵ１，ＥＣＵ２）と前記センサエレメント（ＷＳＳ）とは、少なくとも１つの別個の接続モジュール（１０）を介して相互に接続されており、各前記接続モジュール（１０）は、対応する前記センサエレメント（ＷＳＳ）の第１の端子（ＷＳＳ１）を前記第１のエネルギ源（ＶＢ１）及び／又は前記第２のエネルギ源（ＶＢ２）に接続し、前記センサエレメント（ＷＳＳ）の第２の端子（ＷＳＳ２）は、アースに接続されており、
前記センサエレメント（ＷＳＳ）を通って流れるセンサ電流（ＩＳ）は、検出される測定量に関する情報によって変調されており、
前記第１の評価制御ユニット（３Ａ）及び／又は前記第２の評価制御ユニット（３Ｂ）は、検出される前記センサ電流（ＩＳ）を評価し、
前記接続モジュール（１０）は、接続された前記エネルギ源（ＶＢ１，ＶＢ２）が故障した場合に、それぞれ、各前記センサエレメント（ＷＳＳ）の前記第１の端子（ＷＳＳ１）を他方の前記エネルギ源（ＶＢ２，ＶＢ１）に接続する、
センサ装置（１）。
【請求項２】
それぞれ測定位置に配置された複数のセンサエレメント（ＷＳＳ）が設けられている、
請求項１に記載のセンサ装置（１）。
【請求項３】
前記測定位置は、それぞれ１つの車輪に対応づけられており、対応する前記センサエレメント（ＷＳＳ）は、少なくとも、対応する前記車輪の回転数及び／又は回転速度を検出する、
請求項２に記載のセンサ装置（１）。
【請求項４】
各前記接続モジュール（１０）は、切り替え装置（２０Ａ）を有し、前記切り替え装置（２０Ａ）は、共通のノード点（Ｋ）を有する２つのダイオード（Ｄ１，Ｄ２）を含み、前記共通のノード点（Ｋ）には、前記共通のノード点（Ｋ）に接続された前記センサエレメント（ＷＳＳ）のための給電電圧が印加され、第１のダイオード（Ｄ１）は、前記第１のエネルギ源（ＶＢ１）を順方向で前記共通のノード点（Ｋ）に接続し、第２のダイオード（Ｄ２）は、前記第２のエネルギ源（ＶＢ２）を順方向で前記共通のノード点（Ｋ）に接続し、これにより、前記共通のノード点（Ｋ）には、前記第１のエネルギ源（ＶＢ１）及び／又は前記第２のエネルギ源（ＶＢ２）から給電される給電電圧が印加されて、より高い電圧が得られる、
請求項１乃至３のいずれか一項に記載のセンサ装置（１）。
【請求項５】
各前記接続モジュール（１０）は、切り替え装置（２０Ｂ）を有し、前記切り替え装置（２０Ｂ）は、共通のノード点（Ｋ）を有する２つのスイッチングエレメント（２１，２２）を含み、前記共通のノード点（Ｋ）には、前記共通のノード点（Ｋ）に接続された前記センサエレメント（ＷＳＳ）のための給電電圧が印加され、第１の駆動制御ユニット（２５）が、第１のスイッチングエレメント（２１）を駆動して、前記共通のノード点（Ｋ）を前記第１のエネルギ源（ＶＢ１）に接続させ、第２の駆動制御ユニット（２６）が、第２のスイッチングエレメント（２２）を駆動して、前記共通のノード点（Ｋ）を前記第２のエネルギ源（ＶＢ２）に接続させる、
請求項１乃至４のいずれか一項に記載のセンサ装置（１）。
【請求項６】
前記第１のエネルギ源（ＶＢ１）が第１の電圧を供給したことを第１の電圧識別部（２３）が識別した場合、前記第１の駆動制御ユニット（２５）は、前記第１のスイッチングエレメント（２１）を駆動して、前記共通のノード点（Ｋ）を前記第１のエネルギ源（ＶＢ１）に接続させ、
前記第２のエネルギ源（ＶＢ２）が第２の電圧を供給し、かつ、優先回路（２７）が前記第２のスイッチングエレメント（２２）の駆動をイネーブルしたことを第２の電圧識別部（２４）が識別した場合、前記第２の駆動制御ユニット（２６）は、前記第２のスイッチングエレメント（２２）を駆動して、前記共通のノード点（Ｋ）を前記第２のエネルギ源（ＶＢ２）に接続させ、
前記第１のエネルギ源（ＶＢ１）が電圧を供給しなかったことを前記第１の電圧識別部（２３）が識別した場合、前記優先回路（２７）は、前記第２のスイッチングエレメント（２２）の駆動をイネーブルする、
請求項５に記載のセンサ装置（１）。
【請求項７】
前記第１の評価制御ユニット（３Ａ）は、接続された前記エネルギ源（ＶＢ１，ＶＢ２）と各前記センサエレメント（ＷＳＳ）との間で検出された各前記センサ電流（ＩＳ）を評価する、
請求項１乃至６のいずれか一項に記載のセンサ装置（１）。
【請求項８】
各前記センサエレメント（ＷＳＳ）の第２の端子（ＷＳＳ２）は、前記第２の制御装置（ＥＣＵ２）内でアースに接続されており、前記第２の評価制御ユニット（３Ｂ）は、各前記センサエレメント（ＷＳＳ）とアースとの間で検出された対応する前記センサ電流（ＩＳ）を評価する、
請求項１乃至７のいずれか一項に記載のセンサ装置（１）。
【請求項９】
各前記接続モジュール（１０，１０Ａ）内に、接続された前記エネルギ源（ＶＢ１，ＶＢ２）と対応する前記センサエレメント（ＷＳＳ）との間の前記センサ電流（ＩＳ）を検出して前記第１の評価制御ユニット（３Ａ）に供給する電流処理部（３０）が配置されている、
請求項８に記載のセンサ装置（１）。
【請求項１０】
前記第２の評価制御ユニット（３Ｂ）は、対応するセンサ電流（ＩＳ）を直接的に第２の測定電流（ＩＭ２）として受信して評価する、
請求項８又は９に記載のセンサ装置（１）。
【請求項１１】
各前記センサエレメント（ＷＳＳ）の第２の端子（ＷＳＳ２）は、前記接続モジュール（１０，１０Ｂ）内でアースに接続されており、前記第２の評価制御ユニット（３Ｂ）は、接続された前記エネルギ源（ＶＢ１，ＶＢ２）と対応する前記センサエレメント（ＷＳＳ）との間で検出されるセンサ電流（ＩＳ）を評価する、
請求項１乃至７のいずれか一項に記載のセンサ装置（１）。
【請求項１２】
各前記接続モジュール（１０，１０Ｂ）内に、接続された前記エネルギ源（ＶＢ１，ＶＢ２）と対応する前記センサエレメント（ＷＳＳ）との間の前記センサ電流（ＩＳ）を検出して測定電流（ＩＭ１，ＩＭ２）として前記第１の評価制御ユニット（３Ａ）及び／又は前記第２の評価制御ユニット（３Ｂ）に供給する電流処理部（３０）が配置されている、
請求項１１に記載のセンサ装置（１）。
【請求項１３】
各前記電流処理部（３０）は、電流路に挿入された電流センサ（３２）を含み、前記電流センサ（３２）は、対応する前記センサ電流（ＩＳ）の一部分（ＩＳ／ｎ）を分岐させ、前記第１の評価制御ユニット（３Ａ）及び／又は前記第２の評価制御ユニット（３Ｂ）に転送する、
請求項９乃至１２のいずれか一項に記載のセンサ装置（１）。
【請求項１４】
前記第１の評価制御ユニット（３Ａ）及び／又は前記第２の評価制御ユニット（３Ｂ）は、少なくとも接続された各前記センサエレメント（ＷＳＳ）に対して１つの入力接続部（ＲＭＡ）を有し、前記入力接続部（ＲＭＡ）は、各前記センサ電流（ＩＳ）の一部分（ＩＳ／ｎ）を各前記センサ電流（ＩＳ）に対応する付属の測定信号に変換する、
請求項１３に記載のセンサ装置（１）。
【請求項１５】
各前記電流処理部（３０）は、電流調整部（３４）を含み、前記電流調整部（３４）は、対応する前記電流センサ（３２）と前記第１の評価制御ユニット（３Ａ）との間、及び／又は、対応する前記電流センサ（３２）と前記第２の評価制御ユニット（３Ｂ）との間に配置されており、前記センサ電流（ＩＳ）の一部分（ＩＳ／ｎ）を前記センサ電流（ＩＳ）に対応する付属の測定電流（ＩＭ１，ＩＭ２）に変換する、
請求項１３に記載のセンサ装置（１）。
【請求項１６】
前記電流処理部（３０）は、エネルギ蓄積器（ＣＨ）を含む第１の補助電圧形成部（３５）を含み、前記エネルギ蓄積器（ＣＨ）は、加算点（ＳＰ）に、前記エネルギ源（ＶＢ１，ＶＢ２）の給電電圧よりも低い第１の補助電圧（ＶＨ１）を送出し、前記加算点（ＳＰ）は、前記切り替え装置（２０）と前記電流センサ（３２）との間の前記エネルギ蓄積器（ＣＨ）を充電するために、接続された前記センサエレメント（ＷＳＳ）のセンサ電流路に接続されている、
請求項１５に記載のセンサ装置（１）。
【請求項１７】
前記加算点（ＳＰ）は、それぞれ逆流防止ダイオード（Ｄ３）及び電流源（ＩＱ）を介して、接続された前記センサエレメント（ＷＳＳ）のセンサ電流路に接続されている、
請求項１６に記載のセンサ装置（１）。
【請求項１８】
前記電流処理部（３０）は、直流電圧変換器（ＤＣ／ＤＣ）として構成されておりかつ前記第１の補助電圧（ＶＨ１）を格段に低い第２の補助電圧（ＶＨ２）に変換する第２の補助電圧形成部（３６）を含む、
請求項１５乃至１７のいずれか一項に記載のセンサ装置（１）。
【請求項１９】
前記第２の補助電圧（ＶＨ２）は、前記電流調整部（３４）に供給される、
請求項１８に記載のセンサ装置（１）。
【請求項２０】
前記電流処理部（３０）は、給電電圧が欠落した場合に、接続された１つのセンサエレメント（ＷＳＳ）に対し、接続された他のセンサエレメント（ＷＳＳ）のセンサ電流路から形成される第３の補助電圧（ＶＨ３）を供給する非常電圧形成部（３７）を含む、
請求項１６乃至１９のいずれか一項に記載のセンサ装置（１）。
【請求項２１】
前記非常電圧形成部（３７）は、前記第２の補助電圧（ＶＨ２）をより高い第３の補助電圧（ＶＨ３）に変換する直流電圧変換器（３８）と、スイッチング装置（ＳＷ）と、逆流防止ダイオード（Ｄ４）とを含み、前記スイッチング装置（ＳＷ）は、前記第３の補助電圧（ＶＨ３）を該当するセンサ電流路に接続する、
請求項２０に記載のセンサ装置（１）。
【請求項２２】
個々の前記センサエレメント（ＷＳＳ）は、それぞれ２線線路（Ｌ３）を介して、前記接続モジュール（１０）に接続されている、
請求項１乃至２１のいずれか一項に記載のセンサ装置（１）。
【請求項２３】
前記少なくとも２つの制御装置（ＥＣＵ１，ＥＣＵ２）は、それぞれ２線線路（Ｌ１，Ｌ２）を介して個々の前記接続モジュール（１０）に接続されている、
請求項１乃至２２のいずれか一項に記載のセンサ装置（１）。
【請求項２４】
個々の前記接続モジュール（１０）は、それぞれＡＳＩＣチップとして構成されている、
請求項１乃至２３のいずれか一項に記載のセンサ装置（１）。
【請求項２５】
個々の前記接続モジュール（１０）は、それぞれ対応する前記センサエレメント（ＷＳＳ）のコネクタ内及び／又はケーシング内に配置されている、
請求項１乃至２４のいずれか一項に記載のセンサ装置（１）。
【発明の詳細な説明】
【技術分野】
【０００１】
本発明は、独立請求項１の上位概念に記載の、車両用のセンサ装置に関する。
【背景技術】
【０００２】
従来技術から、車輪ごとにそれぞれ、少なくとも１つのセンサエレメントを含む１つの車輪センサを有する、車両用のセンサ装置が公知である。個々の車輪センサは、一般に、２線の撚り線ケーブルを介して、例えば、ＡＢＳ機能、ＥＳＰ機能、ＡＳＲ機能（ＡＢＳ：アンチロックブレーキシステム、ＥＳＰ：横滑り防止装置、ＡＳＲ：アンチスリップレギュレーション）及び／又は坂道発進補助機能を実行する車両制動システム用の制御装置に接続される。通常、少なくとも１つのセンサエレメントの第１の端子は、制御装置を介してエネルギ源に接続されており（ハイサイド路）、少なくとも１つのセンサエレメントの第２の端子は、制御装置を介してアースに接続されている（ローサイド路）。少なくとも１つのセンサエレメントを通って流れるセンサ電流は、対応する車輪の回転数及び／又は回転速度に関する情報によって変調されており、ここで、制御装置の評価制御ユニットが、少なくとも１つのセンサエレメントとアースとの間で検出されるセンサ電流を評価する。
【０００３】
独国特許出願公開第１０２０１５２０２３３５号明細書から、車輪センサ装置用のセンサケーシング、車輪センサ装置、車輪軸受装置、並びに、車両の車輪の回転数及び／又は回転速度の算定に適したセンサ装置を形成する方法が公知である。車輪センサ装置は、車輪の回転数及び／又は回転速度に関する少なくとも１つの第１のセンサ量を車両の少なくとも１つの評価及び／又は制御装置に供給可能である第１のセンサエレメントと、同一の車輪の回転数及び／又は回転速度に関する少なくとも１つの第２のセンサ量を少なくとも１つの評価及び／又は制御装置に供給可能である付加的な第２のセンサエレメントと、を含む。
【先行技術文献】
【特許文献】
【０００４】
【特許文献１】独国特許出願公開第１０２０１５２０２３３５号明細書
【発明の概要】
【課題を解決するための手段】
【０００５】
発明の開示
独立請求項１の特徴を有する車両用のセンサ装置は、別個の接続モジュールにより、少なくとも２つの制御装置と既存のセンサエレメントとが相互に接続されるという利点を有する。接続モジュールは、接続されたセンサエレメントのセンサ信号を少なくとも２つの制御装置に供給するので、少なくとも２つの制御装置の評価制御ユニットは、接続されたセンサエレメントのセンサ信号を同時に評価することができる。また、個々のセンサエレメントへの給電は、２つのエネルギ源の間で切り換えられ、これにより、第１のエネルギ源が故障した場合、自動的に第２のエネルギ源への切り替えが可能となる。測定位置ごとに、単一の単純なセンサエレメントのみを使用し、そのセンサ信号を２つの制御装置によって冗長的に評価することにより、冗長化によるほぼ同等の評価確実性のもとに、測定位置ごとに２つずつのセンサエレメントを使用する場合に比較して、著しいコスト削減が達成される。なぜなら、総ての測定位置のセンサ信号が２つの制御装置において評価され、個々のセンサエレメントの故障確率が低くなるからである。
【０００６】
別個の接続モジュールにより、こうした車両用のセンサ装置のモジュラ状構造が可能となる。また、本発明の実施形態により、制御装置内の従来の評価コンセプトを維持することもできる。
【０００７】
本発明の実施形態は、１つのセンサエレメントと、それぞれ１つずつ評価制御ユニット及びエネルギ源を有する少なくとも２つの制御装置とを含む、車両用のセンサ装置を提供する。第１の制御装置内においては、第１の評価制御ユニットが第１のエネルギ源に接続されており、第２の制御装置内においては、第２の評価制御ユニットが第２のエネルギ源に接続されている。この場合、少なくとも２つの制御装置とセンサエレメントとは、少なくとも１つの別個の接続モジュールを介して相互に接続されており、各接続モジュールは、対応するセンサエレメントの第１の端子を第１のエネルギ源及び／又は第２のエネルギ源に接続する。センサエレメントの第２の端子は、アースに接続されている。センサエレメントを通って流れるセンサ電流は、検出される測定量に関する情報によって変調されており、ここで、第１の評価制御ユニット及び／又は第２の評価制御ユニットは、検出されるセンサ電流を評価する。接続されたエネルギ源が故障した場合、接続モジュールが、それぞれ、各センサエレメントの第１の端子を他方のエネルギ源に接続する。
【０００８】
一般に、本発明に係るセンサ装置の実施形態は、車両内のそれぞれの測定位置に分散配置された複数のセンサエレメントを含み得る。このように、本明細書におけるセンサ装置の実施形態は、好適には車両制動システム内で使用可能である。こうした制動システムにおいては、測定位置は、例えばそれぞれ１つの車輪に対応づけ可能であり、対応するセンサエレメントが、少なくとも、対応づけられた車輪の回転数及び／又は回転速度を検出可能である。もちろん、こうした測定位置において、他の測定量、例えば温度、圧力などを検出することもできる。
【０００９】
評価制御ユニットとは、本明細書においては、検出されたセンサ信号を処理又は評価する電気回路であると理解することができる。評価制御ユニットは、ハードウェア及び／又はソフトウェアによって構成可能な少なくとも１つのインタフェースを有することができる。ハードウェアの構成においては、インタフェースは、例えば、評価制御ユニットの種々の機能を含むいわゆるシステムＡＳＩＣの一部であってよい。ただし、インタフェースは、固有の集積回路であってもよいし、又は、少なくとも部分的に個別の構成素子から成るものであってもよい。ソフトウェアの構成においては、インタフェースは、例えば、マイクロコントローラ上で他のソフトウェアモジュールと並んで設けられたソフトウェアモジュールであってよい。機械可読担体上、例えば半導体メモリ上、ハードディスクメモリ上又は光学メモリ上に記憶されており、評価制御ユニットによるプログラムの実行の際に評価を行うために使用されるプログラムコードを含む、コンピュータプログラム製品も有利である。
【００１０】
制御装置とは、本明細書においては、液圧式制動システムに接続されて種々の制動機能、例えば、ＡＢＳ機能、ＥＳＰ機能、ＡＳＲ機能（ＡＢＳ：アンチロックブレーキシステム、ＥＳＰ：横滑り防止装置、ＡＳＲ：アンチスリップレギュレーション）及び／又は坂道発進補助機能を実行可能な電気機器、例えば制動制御装置であると理解することができる。ここで、２つの制御装置は、通常動作中に、種々の制動機能を実行することができる。制御装置のいずれか一方が故障した場合には、他方の制御装置が故障した制御装置の制動機能を担当するように構成可能である。
【００１１】
センサエレメントとは、本明細書においては、対応づけられた車輪の領域において物理量又は物理量の変化を直接的に又は間接的に検出し、好適には電気センサ信号に変換する、電気構成素子であると理解される。このことは、例えば、音波及び／又は電磁波の送受信によって、及び／又は、磁界又は磁界の変化によって、行うことができる。受信した波の入射又は強度、波長、周波数、角度などを検出する、例えば光学プレート及び／又は蛍光面及び／又は半導体を含む光学センサエレメント、例えば赤外線センサエレメントも可能である。同様に、音響センサエレメント、例えば超音波センサエレメント、及び／又は、高周波センサエレメント、及び／又は、レーダセンサエレメント、及び／又は、磁界に応答するセンサエレメント、例えばホールセンサエレメント及び／又はＭＲセンサエレメント、及び／又は、例えば磁気誘導により発生する電圧によって磁界の変化を記録する誘導センサエレメントも考えられる。
【００１２】
各従属請求項に記載されている措置及び発展形態により、独立請求項１に記載されている車両用のセンサ装置の有利な改善が可能となる。
【００１３】
特に有利には、切り替え装置は、少なくとも接続された各センサエレメントに対して、共通のノード点を有する２つのダイオードを含むことが可能であり、共通のノード点には、当該共通のノード点に接続されたセンサエレメントのための給電電圧が印加可能である。この場合、第１のダイオードは、第１のエネルギ源を順方向で共通のノード点に接続可能であり、第２のダイオードは、第２のエネルギ源を順方向で共通のノード点に接続可能であり、これにより、共通のノード点には、第１のエネルギ源及び／又は第２のエネルギ源から給電される給電電圧が印加可能であって、より高い電圧が得られる。このようにすることによって、より大きい電圧降下と引き換えに、駆動信号なしで自動的に電圧源を切り替え可能な切り替え装置を、簡単かつ低コストに実現することができる。
【００１４】
代替的に、切り替え装置は、少なくとも接続された各センサエレメントに対して、共通のノード点を有する２つのスイッチングエレメントを含むことが可能であり、共通のノード点には、当該共通のノード点に接続されたセンサエレメントのための給電電圧を印加することができる。ここでは、第１の駆動制御ユニットが、第１のスイッチングエレメントを駆動して、共通のノード点を第１のエネルギ源に接続させることができ、第２の駆動制御ユニットが、第２のスイッチングエレメントを駆動して、共通のノード点を第２のエネルギ源に接続させることができる。当該実施形態においては、どちらのエネルギ源が、好ましくは接続されたセンサエレメントへの給電に使用されるかを設定することができる。また、スイッチングエレメントとして電界効果トランジスタが使用される場合、センサ電流路における電圧降下を低減することができる。こうして、例えば、第１のエネルギ源が第１の電圧を供給したことを第１の電圧識別部が識別した場合に、第１の駆動制御ユニットにより第１のスイッチングエレメントを駆動して、共通のノード点を第１のエネルギ源に接続させることができる。また、第２のエネルギ源が第２の電圧を供給し、かつ、優先回路が第２のスイッチングエレメントの駆動をイネーブルしたことを第２の電圧識別部が識別した場合に、第２の駆動制御ユニットにより第２のスイッチングエレメントを駆動して、共通のノード点を第２のエネルギ源に接続させることができる。優先回路は、第１のエネルギ源が電圧を供給しなかったことを第１の電圧識別部が識別した場合に、第２のスイッチングエレメントの駆動をイネーブルすることができる。
【００１５】
センサ装置の他の有利な構成においては、第１の評価制御ユニットが、接続されたエネルギ源と各センサエレメントとの間で検出されるセンサ電流を評価することができる。
【００１６】
センサ装置の他の有利な構成においては、各センサエレメントの第２の端子は、第２の制御装置内でアースに接続可能である。これにより、第２の評価制御ユニットは、各センサエレメントとアースとの間で検出される各センサ電流を評価することができる。また、各接続モジュール内に電流処理部を配置することができ、当該電流処理部は、接続されたエネルギ源と各センサエレメントとの間の各センサ電流を検出して、これを第１の評価制御ユニットに供給可能である。さらに、第２の評価制御ユニットは、各センサ電流を直接的に第２の測定電流として受信して評価することができる。
【００１７】
代替的に、各センサエレメントの第２の端子を、接続モジュール内で、アースに接続してもよい。当該実施形態においては、第１の評価制御ユニットと第２の評価制御ユニットとが、接続されたエネルギ源と各センサエレメントとの間で検出される各センサ電流を評価することができる。
【００１８】
センサ装置の他の有利な構成においては、各接続モジュール内に電流処理部を配置することができ、当該電流処理部は、接続されたエネルギ源と対応するセンサエレメントとの間のセンサ電流を検出し、対応する測定電流として第１の評価制御ユニット及び／又は第２の評価制御ユニットに供給することができる。この場合、各電流処理部は、電流路に挿入された電流センサを含むことが可能であり、当該電流センサが、対応するセンサ電流の一部分を分岐させ、第１の評価制御ユニット及び／又は第２の評価制御ユニットに転送することができる。これにより、対応するセンサエレメントの第１の端子に流入するセンサ電流が測定され、等価であるものの格段に小さいセンサ電流の一部分が第１の評価制御ユニット及び／又は第２の評価制御ユニットに転送される。これにより、接続モジュール内の損失電力を低減することができる。
【００１９】
センサ装置の他の有利な構成においては、第１の評価制御ユニット及び／又は第２の評価制御ユニットが、少なくとも接続された各センサエレメントに対して１つの入力接続部を有することができ、当該入力接続部は、各センサ電流の一部分を、各センサ電流に対応する測定信号に変換する。測定信号として、例えば、各センサ電流を表す電圧を形成することができる。当該実施形態においては、入力接続部は、例えば、より高い抵抗値を有するオーム抵抗を含むことが可能であり、当該オーム抵抗により、低減された測定電流から、センサ電流を表す電圧値が形成される。これにより、後続の評価回路又は後続の評価方法の変更は必要なくなる。
【００２０】
代替的に、各電流処理部は、接続されたセンサエレメントに対して１つの電流調整部を含むものとしてもよく、当該電流調整部は、対応する電流センサと第１の評価制御ユニットとの間、及び／又は、対応する電流センサと第２の評価制御ユニットとの間に配置され、センサ電流の一部分を、センサ電流に対応する付属の測定電流に変換する。当該実施形態においては、評価制御ユニットの変更は必要とされない。
【００２１】
センサ装置の他の有利な構成においては、電流処理部は、エネルギ蓄積器を含む第１の補助電圧形成部を含むことが可能であり、エネルギ蓄積器は、加算点に、エネルギ源の給電電圧よりも低い第１の補助電圧を送出する。また、加算点は、各切り替え装置と各電流センサとの間のエネルギ蓄積器を充電するために、接続されたセンサエレメントのセンサ電流路に接続可能である。第１の補助電圧は、例えば、エネルギ源の給電電圧よりも約１Ｖ低いものとしてよい。加算点は、例えば、それぞれ逆流防止ダイオード及び電流源を介して、接続されたセンサエレメントのセンサ電流路に接続可能である。さらに、電流処理部は、直流電圧変換器として構成可能でありかつ第１の補助電圧を格段に低い第２の補助電圧に変換可能である第２の補助電圧形成部を含み得る。当該第２の補助電圧は、好適には電流調整部に供給可能である。これにより、電流調整部は、第２の補助電圧源によって給電される耐負荷可能なエネルギ源として機能する。損失電力を全体として低く抑制するために、当該補助電圧源は、約２．５Ｖ乃至３Ｖの電圧を有する。有利には、当該第１の補助電圧源のエネルギは、第１のエネルギ源又は第２のエネルギ源から接続されたセンサエレメントの第１の入力側に印加される給電電圧から形成される。
【００２２】
センサ装置の他の有利な構成においては、電流処理部は、給電電圧が欠落した場合に、接続された１つのセンサエレメントに対し、接続された他のセンサエレメントのセンサ電流路から形成された第３の補助電圧を供給可能である非常電圧形成部を含み得る。非常電圧形成部は、１つのセンサエレメントで２つの給電電圧とも故障した場合に介入を行う。非常電圧形成部は、例えば、約２．５Ｖ乃至３Ｖの第２の補助電圧を約８Ｖのより高い第３の補助電圧に変換する直流電圧変換器と、スイッチング装置と、逆流防止ダイオードとを含むことが可能であり、ここで、スイッチング装置は、第３の補助電圧を該当するセンサ電流路に接続する。
【００２３】
センサ装置の他の有利な構成においては、個々のセンサエレメントを、それぞれ２線線路を介して接続モジュールに接続することができる。また、少なくとも２つの制御装置を、それぞれ２線線路を介して、個々の接続モジュールに接続することもできる。
【００２４】
センサ装置の他の有利な構成においては、個々の接続モジュールは、それぞれＡＳＩＣチップとして構成可能である。さらに、個々の接続モジュールは、それぞれ対応するセンサエレメントのコネクタ内及び／又はケーシング内に配置可能である。
【００２５】
本発明の実施例を図示すると共に、以下の説明において詳細に説明する。図中において、同一の参照番号は、同一の、又は、同等の機能を実行する、要素又はエレメントを表している。
【図面の簡単な説明】
【００２６】
【図１】本発明に係る、車両用のセンサ装置の第１の実施例を示す概略的なブロック図である。
【図２】本発明に係る、車両用のセンサ装置の第２の実施例を示す概略的なブロック図である。
【図３】図１又は図２の本発明に係る、車両用のセンサ装置の、切り替え装置の第１の実施例を示す概略的なブロック図である。
【図４】図１又は図２の本発明に係る、車両用のセンサ装置の、切り替え装置の第２の実施例を示す概略的なブロック図である。
【図５】図１の本発明に係る、車両用のセンサ装置の、電流処理部の第１の実施例を示す概略的なブロック図である。
【図６】図１の本発明に係る、車両用のセンサ装置の、電流処理部の第２の実施例を示す概略的なブロック図である。
【図７】図１の本発明に係る、車両用のセンサ装置の、電流処理部の第３の実施例を示す概略的なブロック図である。
【発明を実施するための形態】
【００２７】
発明の実施形態
図１及び図２から見て取れるように、本発明に係る、車両用のセンサ装置１，１Ａ，１Ｂの図示の実施例には、センサエレメントＷＳＳと、それぞれ１つずつ評価制御ユニット３Ａ，３Ｂ及びエネルギ源ＶＢ１，ＶＢ２を有する少なくとも２つの制御装置ＥＣＵ１，ＥＣＵ２とが含まれる。図１及び図２からさらに見て取れるように、第１の制御装置ＥＣＵ１内においては、第１の評価制御ユニット３Ａが第１のエネルギ源ＶＢ１に接続されている。第２の制御装置ＥＣＵ２内においては、第２の評価制御ユニット３Ｂが第２のエネルギ源ＶＢ２に接続されている。ここで、少なくとも２つの制御ユニットＥＣＵ１，ＥＣＵ２及びセンサエレメントＷＳＳは、少なくとも１つの別個の接続モジュール１０を介して相互に接続されている。各接続モジュール１０は、対応するセンサエレメントＷＳＳの第１の端子ＷＳＳ１を第１のエネルギ源ＶＢ１及び／又は第２のエネルギ源ＶＢ２に接続する。センサ装置ＷＳＳの第２の端子ＷＳＳ２は、アースに接続されている。また、各センサエレメントＷＳＳを通って流れるセンサ電流ＩＳは、検出される測定量に関する情報によって変調されており、ここでは、第１の評価制御ユニット３Ａ及び／又は第２の評価制御ユニット３Ｂが、検出されるセンサ電流ＩＳを評価する。接続モジュール１０は、接続されたエネルギ源ＶＢ１，ＶＢ２が故障した場合、センサエレメントＷＳＳの第１の端子ＷＳＳ１を他方のエネルギ源ＶＢ２，ＶＢ１に接続する。これは、接続された第１のエネルギ源ＶＢ１が故障した場合、接続モジュール１０が第２のエネルギ源ＶＢ２への切り替えを行い、接続された第２のエネルギ源ＶＢ２が故障した場合、接続モジュール１０が第１のエネルギ源ＶＢ１への切り替えを行うことを意味する。
【００２８】
一般に、本発明に係る、車両用のセンサ装置１，１Ａ，１Ｂの実施形態には、それぞれ１つのこうしたセンサエレメントＷＳＳを有する複数の測定位置が含まれる。分かり易くするために、図１及び図２においては、それぞれ単一のセンサエレメントＷＳＳのみを示している。このように、本明細書におけるセンサ装置１，１Ａ，１Ｂの各実施形態は、好適には、車両制動システムにおいて使用される。こうした制動システムにおいては、測定位置は、例えばそれぞれ１つの車輪に対応づけ可能であり、センサエレメントＷＳＳは、少なくとも、対応する車輪の回転数及び／又は回転速度を検出することができる。従って、通常の四輪乗用車においては、センサ装置１，１Ａ，１Ｂは４つのこうしたセンサエレメントＷＳＳを有する。もちろん、こうした測定位置において、他の測定量、例えば温度、圧力などを検出することもできる。
【００２９】
ここで、センサエレメントＷＳＳの第２の端子ＷＳＳ２は、直接的に、又は、中間接続された構成素子を介して、アースに接続可能である。
【００３０】
図１及び図２からさらに見て取れるように、接続モジュール１０は、図示の実施例においては、それぞれ切り替え装置２０及び電流処理部３０を含む。以下においては、図３及び図４を参照して切り替え装置の実施例を説明し、図５乃至図７を参照して電流処理部３０の実施例を説明する。
【００３１】
第１の評価制御ユニット３Ａは、接続されたエネルギ源ＶＢ１，ＶＢ２と各センサエレメントＷＳＳとの間で検出される各センサ電流ＩＳを評価する。このために、各接続モジュール１０内に電流処理部３０が配置されており、当該電流処理部３０は、接続されたエネルギ源ＶＢ１，ＶＢ２と各センサエレメントＷＳＳとの間の各センサ電流ＩＳを検出して、第１の評価制御ユニット３Ａに供給する。これは、第１の評価制御ユニット３Ａがハイサイド路のセンサ電流ＩＳを評価することを意味する。
【００３２】
図１からさらに見て取れるように、各センサエレメントＷＳＳの第２の端子ＷＳＳ２は、車両用のセンサ装置１Ａの図示の第１の実施例においては、第２の制御装置ＥＣＵ２内で測定抵抗ＲＭＢを介してアースに接続されており、第２の評価制御ユニット３Ｂが、各センサエレメントＷＳＳとアースとの間で検出される各センサ電流ＩＳを直接的に第２の測定電流ＩＭ２として受信して評価する。これは、第２の評価制御ユニット３Ｂがローサイド路で検出されるセンサ電流ＩＳを評価することを意味する。
【００３３】
図２からさらに見て取れるように、各センサエレメントＷＳＳの第２の端子ＷＳＳ２は、車両用のセンサ装置１Ｂの図示の第２の実施例においては、接続モジュール１０Ｂ内でアースに接続されており、ここでは、第２の評価制御ユニット３Ｂが、接続されたエネルギ源ＶＢ１，ＶＢ２と各センサエレメントＷＳＳとの間で検出されたセンサ電流ＩＳを評価する。これは、第２の評価制御ユニット３Ｂがハイサイド路で検出されたセンサ電流ＩＳを評価することを意味する。図２からさらに見て取れるように、各接続モジュール１０Ｂ内に配置された電流処理部３０が、接続されたエネルギ源ＶＢ１，ＶＢ２と各センサエレメントＷＳＳとの間の各センサ電流ＩＳを検出し、図示の第２の実施例においては、当該各センサ電流ＩＳを対応する測定電流ＩＭ１，ＩＭ２として第１の評価制御ユニット３Ａ及び第２の評価制御ユニット３Ｂに供給する。
【００３４】
図３から見て取れるように、切り替え装置２０Ａは、図示の第１の実施例においては、共通のノード点Ｋを有する２つのダイオードＤ１，Ｄ２を含み、共通のノード点Ｋには、当該共通のノード点Ｋに接続されたセンサエレメントＷＳＳのための給電電圧が印加される。ここでは、第１のダイオードＤ１は、第１のエネルギ源ＶＢ１を順方向で共通のノード点Ｋに接続する。第２のダイオードＤ２は、第２のエネルギ源ＶＢ２を順方向で共通のノード点Ｋに接続する。これにより、共通のノード点Ｋには、第１のエネルギ源ＶＢ１及び／又は第２のエネルギ源ＶＢ２から給電される給電電圧が印加され、より高い電圧が得られる。これは、第１のエネルギ源ＶＢ１が故障した場合、ノード点Ｋが第２のエネルギ源ＶＢ２から給電され、逆に第２のエネルギ源ＶＢ２が故障した場合、ノード点Ｋが第１のエネルギ源ＶＢ１から給電されることを意味する。２つのチャネルが完全に対称であれば、ノード点Ｋは、２つのエネルギ源ＶＢ１，ＶＢ２から１／２ずつ給電される。
【００３５】
図４からさらに見て取れるように、切り替え装置２０Ｂは、図示の第２の実施例においては、２つのスイッチングエレメント２１，２２を含み、当該スイッチングエレメント２１，２２は、好適には、電界効果トランジスタとして構成されておりかつ共通のノード点Ｋを有し、共通のノード点Ｋには、当該共通のノード点Ｋに接続されたセンサエレメントＷＳＳのための給電電圧が印加される。図４からさらに見て取れるように、第１の駆動制御ユニット２５は、第１のスイッチングエレメント２１を駆動して、共通のノード点Ｋを第１のエネルギ源ＶＢ１に接続させる。第２の駆動制御ユニット２６は、第２のスイッチングエレメント２２を駆動して、共通のノード点Ｋを第２のエネルギ源ＶＢ２に接続させる。図４からさらに見て取れるように、第１の電圧識別部２３は、第１のエネルギ源ＶＢ１が第１の電圧を供給したかどうかを識別する。第２の電圧識別部２４は、第２のエネルギ源ＶＢ２が第２の電圧を供給したかどうかを識別する。また、切り替え装置２０Ｂは、図示の第２の実施例においては、第１のエネルギ源ＶＢ１を第２のエネルギ源に優先させる優先回路２７を含む。図示していない代替実施例においては、優先回路２７は、第２のエネルギ源ＶＢ２を第１のエネルギ源ＶＢ１に優先させてもよい。第１の駆動制御ユニット２５は、第１のエネルギ源ＶＢ１が第１の電圧を供給したことを第１の電圧識別部２３が識別した場合に、第１のスイッチングエレメント２１を駆動して、共通のノード点Ｋを第１のエネルギ源ＶＢ１に接続させる。第２の駆動制御ユニット２６は、第２のエネルギ源ＶＢ２が第２の電圧を供給し、かつ、優先回路２７が第２のスイッチングエレメント２２の駆動をイネーブルしたことを第２の電圧識別部２４が識別した場合に、第２のスイッチングエレメント２２を駆動して、共通のノード点Ｋを第２のエネルギ源ＶＢ２に接続させる。図示の第２の実施例においては、優先回路２７は、第１のエネルギ源ＶＢ１が電圧を供給しなかったことを第１の電圧識別部２３が識別した場合に、第２のスイッチングエレメント２２の駆動をイネーブルする。優先回路２７は、第２の駆動制御回路２６が形成した駆動信号を第２のスイッチングエレメント２２に導通させるのみであるので、当該優先回路２７により、第２のエネルギ源ＶＢ２をより迅速に共通のノード点Ｋに接続することができる。
【００３６】
以下においては、図５乃至図７を参照して、図１の第１の実施例の車両用のセンサ装置１Ａの電流処理部３０の種々の実施例を説明する。図５乃至図７から見て取れるように、電流処理部３０は、電流路に挿入された電流センサ３２を含み、当該電流センサ３２は、各センサ電流ＩＳの一部分ＩＳ／ｎを分岐させて、第１の評価制御ユニット３Ａへ転送する。また、電流センサ３２は、センサ電流ＩＳを、対応するセンサエレメントＷＳＳの第１の端子ＷＳＳ１へ導通する。
【００３７】
図５からさらに見て取れるように、電流センサ３２は、図示の実施例においては、２つのオーム抵抗Ｒ１，Ｒ２、１つのオペアンプＯＰ１及び１つのトランジスタＴ１を含む。上述した電気構成素子は、図示のように相互に接続されており、このため、電流センサ３２は、第１の制御装置ＥＣＵ１のハイサイド路において、単純なカレントミラー回路とは異なり、小さい電圧降下を生じさせる。電流センサ３２により、センサエレメントＷＳＳの第１の端子ＷＳＳ１に流入するセンサ電流ＩＳが測定され、第１の制御装置ＥＣＵ１内の損失電力を低減するために、等価であるものの格段に小さい電流ＩＳ／ｎが第１の評価制御ユニット３Ａに供給される。センサ電流ＩＳの付加的な一部分ＩＳ／ｎが分岐されると、エネルギ源ＶＢ１，ＶＢ２が当該センサ電流ＩＳの付加的な一部分ＩＳ／ｎを利用可能になることに注意されたい。ここで、接続されたエネルギ源ＶＢ１，ＶＢ２から取り出される全電流（ＩＳ／ｎ＋ＩＳ）は、例えば５０ｍＡである設定された最大値を超えてはならない。ｖ−プロトコルにおいては、センサ電流ＩＳは、７ｍＡ又は１４ｍＡ又は２８ｍＡの値を有する。当該値は、電流センサ３２によって著しく低減可能である。従って、ｎに対して例えば５０である値を選定することができる。評価のための第１の評価制御ユニット３Ａに対し、ｖ−プロトコルのための対応する測定信号が形成されるように、第１の評価制御ユニット３Ａが少なくとも接続された各センサエレメントＷＳＳに対して有する１つの入力接続部を相応に調整することができ、これにより、各センサ電流ＩＳの一部分ＩＳ／ｎが、各センサ電流ＩＳに対応する測定信号に変換される。即ち、例えば約１０Ωの第１の測定抵抗ＲＭＡは、電流センサ３２からの各センサ電流ＩＳの一部分ＩＳ／ｎが直接的に処理可能となるように、ここでは５０である値に対応する係数ｎで、約５００Ωへ高めることができる。これにより、図５に破線のみで示されているように、第１の測定電流ＩＭ１を供給する後続の電流調整部３４を省略することができるので、第１の制御装置ＥＣＵ１を調整するための全体コストを大幅に低減することができる。
【００３８】
図６及び図７から見て取れるように、電流処理部３０は、図示の実施例においては、電流センサ３２と第１の評価制御ユニット３Ａとの間に配置された１つの電流調整部３４を含む。電流調整部３４は、耐負荷可能なエネルギ源として構成されており、各センサ電流ＩＳの一部分ＩＳ／ｎを、各センサ電流ＩＳに対応する付属の第１の測定電流ＩＭ１に変換する。図６及び図７からさらに見て取れるように、電流処理部３０は、加算点ＳＰに第１の補助電圧ＶＨ１を送出するエネルギ蓄積器ＣＨを有する第１の補助電圧形成部３５を含む。第１の補助電圧ＶＨ１は、例えばそれぞれ約１２Ｖの値を有するエネルギ源ＶＢ１，ＶＢ２の給電電圧よりも、約１Ｖ低い。加算点ＳＰは、各切り替え装置２０と各電流センサ３２との間のエネルギ蓄積器ＣＨを充電するために、接続されたセンサエレメントＷＳＳのセンサ電流路に接続されている。図示の実施例においては、加算点ＳＰは、それぞれ逆流防止ダイオードＤ３及び電流源ＩＱを介して、接続されたセンサエレメントＷＳＳのセンサ電流路に接続されている。また、電流処理部３０は、損失電力を全体として低く抑制するために、直流電圧変換器ＤＣ／ＤＣとして構成されておりかつ第１の補助電圧ＶＨ１を格段に低い例えば２．５Ｖ乃至３Ｖの第２の補助電圧ＶＨ２に変換する第２の補助電圧形成部３６を含む。第２の補助電圧形成部３６は、電流調整部３４に第２の補助電圧ＶＨ２を供給する。
【００３９】
図７からさらに見て取れるように、電流処理部３０は、図示の実施例においては、給電電圧が欠落した場合に、接続された１つのセンサエレメントＷＳＳに対し、接続された他のセンサエレメントＷＳＳのセンサ電流路から形成された約８Ｖの第３の補助電圧ＶＨ３を供給する非常電圧形成部３７を含む。非常電圧形成部３７は、図示の実施例においては、第２の補助電圧ＶＨ２をより高い第３の補助電圧ＶＨ３に変換する直流電圧変換器３８と、スイッチング装置ＳＷと、逆流防止ダイオードＤ４とを含む。スイッチング装置ＳＷは、第３の補助電圧ＶＨ３を該当する電流路に接続し、これにより、第３の補助電圧ＶＨ３が、対応するセンサエレメントＷＳＳに供給される。
【００４０】
図２に示した第２の実施例のセンサ装置１Ｂにおいては、図示していない対応する電流処理部３０が、電流路に挿入された２つの電流センサ３２を含み、ここでは、２つの電流センサ３２によって抵抗Ｒ１が利用される。電流センサ３２は、それぞれセンサ電流ＩＳの一部分ＩＳ／ｎを分岐させる。付加的な２つのセンサ電流ＩＳの一部分ＩＳ／ｎを分岐させると、エネルギ源ＶＢ１，ＶＢ２が、当該付加的な２つのセンサ電流ＩＳの一部分ＩＳ／ｎを利用することが可能になることに注意されたい。即ち、接続されたエネルギ源ＶＢ１，ＶＢ２から取り出された全電流（２（ＩＳ／ｎ）＋ＩＳ）が、例えば５０ｍＡである設定された最大値を超えてはならない。この場合、第１の電流センサ３２は、センサ電流ＩＳの分岐された一部分ＩＳ／ｎを第１の評価制御ユニット３Ａに転送し、第２の電流センサ３２は、センサ電流ＩＳの分岐された一部分ＩＳ／ｎを第２の評価制御ユニット３Ｂに転送する。第２の制御装置ＥＣＵ２の第２の評価制御ユニット３Ｂへの第２の測定電流ＩＭ２の供給は、第１の制御装置ＥＣＵ１の第１の評価制御ユニット３Ａへの第１の測定電流ＩＭ１の供給と同様に行われる。
【００４１】
好適には、接続モジュール１０は、ＡＳＩＣチップとして構成される。ここで、個々の接続モジュール１０は、それぞれ対応するセンサエレメントＷＳＳのコネクタ内及び／又はケーシング内に配置可能である。代替的に、接続モジュール１０は、車両内の他の適当な組込位置に組み込むこともできる。
【００４２】
図１及び図２からさらに見て取れるように、個々のセンサエレメントＷＳＳ及び少なくとも２つの制御装置ＥＣＵ１，ＥＣＵ２は、図示の実施例においては、それぞれ２線線路Ｌ１，Ｌ２，Ｌ３を介して対応する接続モジュール１０に接続されている。これにより、配線コストの簡単化が達成される。
【００４３】
本発明の実施形態により、従来技術から公知の単純なセンサエレメントが同時に２つの制御装置によって使用される、車両用のセンサ装置が提供される。各制御装置は、従来技術から公知であって、変更なしの又はわずかな調整のみの評価制御ユニットを有することができる。
【図１】
2021517318.tif 000003
【図２】
2021517318.tif 000004
【図３】
2021517318.tif 000005
【図４】
2021517318.tif 000006
【図５】
2021517318.tif 000007
【図６】
2021517318.tif 000008
【図７】
2021517318.tif 000009
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
センサエレメント（ＷＳＳ）と、それぞれ１つずつ評価制御ユニット（３Ａ，３Ｂ）及びエネルギ源（ＶＢ１，ＶＢ２）を有する少なくとも２つの制御装置（ＥＣＵ１，ＥＣＵ２）とを含むセンサ装置（１）であって、
第１の制御装置（ＥＣＵ１）内で、第１の評価制御ユニット（３Ａ）が第１のエネルギ源（ＶＢ１）に接続されており、第２の制御装置（ＥＣＵ２）内で、第２の評価制御ユニット（３Ｂ）が第２のエネルギ源（ＶＢ２）に接続されており、
前記少なくとも２つの制御装置（ＥＣＵ１，ＥＣＵ２）と前記センサエレメント（ＷＳＳ）とは、少なくとも１つの別個の接続モジュール（１０）を介して相互に接続されており、各前記接続モジュール（１０）は、対応する前記センサエレメント（ＷＳＳ）の第１の端子（ＷＳＳ１）を前記第１のエネルギ源（ＶＢ１）及び／又は前記第２のエネルギ源（ＶＢ２）に接続し、前記センサエレメント（ＷＳＳ）の第２の端子（ＷＳＳ２）は、アースに接続されており、
前記センサエレメント（ＷＳＳ）を通って流れるセンサ電流（ＩＳ）は、検出される測定量に関する情報によって変調されており、
前記第１の評価制御ユニット（３Ａ）及び／又は前記第２の評価制御ユニット（３Ｂ）は、検出される前記センサ電流（ＩＳ）を評価し、
前記接続モジュール（１０）は、接続された前記エネルギ源（ＶＢ１，ＶＢ２）が故障した場合に、それぞれ、各前記センサエレメント（ＷＳＳ）の前記第１の端子（ＷＳＳ１）を他方の前記エネルギ源（ＶＢ２，ＶＢ１）に接続する、
センサ装置（１）。
【請求項２】
それぞれ測定位置に配置された複数のセンサエレメント（ＷＳＳ）が設けられている、
請求項１に記載のセンサ装置（１）。
【請求項３】
前記測定位置は、それぞれ１つの車輪に対応づけられており、対応する前記センサエレメント（ＷＳＳ）は、少なくとも、対応する前記車輪の回転数及び／又は回転速度を検出する、
請求項２に記載のセンサ装置（１）。
【請求項４】
各前記接続モジュール（１０）は、切り替え装置（２０Ａ）を有し、前記切り替え装置（２０Ａ）は、共通のノード点（Ｋ）を有する２つのダイオード（Ｄ１，Ｄ２）を含み、前記共通のノード点（Ｋ）には、前記共通のノード点（Ｋ）に接続された前記センサエレメント（ＷＳＳ）のための給電電圧が印加され、第１のダイオード（Ｄ１）は、前記第１のエネルギ源（ＶＢ１）を順方向で前記共通のノード点（Ｋ）に接続し、第２のダイオード（Ｄ２）は、前記第２のエネルギ源（ＶＢ２）を順方向で前記共通のノード点（Ｋ）に接続し、これにより、前記共通のノード点（Ｋ）には、前記第１のエネルギ源（ＶＢ１）及び／又は前記第２のエネルギ源（ＶＢ２）から給電される給電電圧が印加されて、より高い電圧が得られる、
請求項１乃至３のいずれか一項に記載のセンサ装置（１）。
【請求項５】
各前記接続モジュール（１０）は、切り替え装置（２０Ｂ）を有し、前記切り替え装置（２０Ｂ）は、共通のノード点（Ｋ）を有する２つのスイッチングエレメント（２１，２２）を含み、前記共通のノード点（Ｋ）には、前記共通のノード点（Ｋ）に接続された前記センサエレメント（ＷＳＳ）のための給電電圧が印加され、第１の駆動制御ユニット（２５）が、第１のスイッチングエレメント（２１）を駆動して、前記共通のノード点（Ｋ）を前記第１のエネルギ源（ＶＢ１）に接続させ、第２の駆動制御ユニット（２６）が、第２のスイッチングエレメント（２２）を駆動して、前記共通のノード点（Ｋ）を前記第２のエネルギ源（ＶＢ２）に接続させる、
請求項１乃至４のいずれか一項に記載のセンサ装置（１）。
【請求項６】
前記第１のエネルギ源（ＶＢ１）が第１の電圧を供給したことを第１の電圧識別部（２３）が識別した場合、前記第１の駆動制御ユニット（２５）は、前記第１のスイッチングエレメント（２１）を駆動して、前記共通のノード点（Ｋ）を前記第１のエネルギ源（ＶＢ１）に接続させ、
前記第２のエネルギ源（ＶＢ２）が第２の電圧を供給し、かつ、優先回路（２７）が前記第２のスイッチングエレメント（２２）の駆動をイネーブルしたことを第２の電圧識別部（２４）が識別した場合、前記第２の駆動制御ユニット（２６）は、前記第２のスイッチングエレメント（２２）を駆動して、前記共通のノード点（Ｋ）を前記第２のエネルギ源（ＶＢ２）に接続させ、
前記第１のエネルギ源（ＶＢ１）が電圧を供給しなかったことを前記第１の電圧識別部（２３）が識別した場合、前記優先回路（２７）は、前記第２のスイッチングエレメント（２２）の駆動をイネーブルする、
請求項５に記載のセンサ装置（１）。
【請求項７】
前記第１の評価制御ユニット（３Ａ）は、接続された前記エネルギ源（ＶＢ１，ＶＢ２）と各前記センサエレメント（ＷＳＳ）との間で検出された各前記センサ電流（ＩＳ）を評価する、
請求項１乃至６のいずれか一項に記載のセンサ装置（１）。
【請求項８】
各前記センサエレメント（ＷＳＳ）の第２の端子（ＷＳＳ２）は、前記第２の制御装置（ＥＣＵ２）内でアースに接続されており、前記第２の評価制御ユニット（３Ｂ）は、各前記センサエレメント（ＷＳＳ）とアースとの間で検出された対応する前記センサ電流（ＩＳ）を評価する、
請求項１乃至７のいずれか一項に記載のセンサ装置（１）。
【請求項９】
各前記接続モジュール（１０，１０Ａ）内に、接続された前記エネルギ源（ＶＢ１，ＶＢ２）と対応する前記センサエレメント（ＷＳＳ）との間の前記センサ電流（ＩＳ）を検出して前記第１の評価制御ユニット（３Ａ）に供給する電流処理部（３０）が配置されている、
請求項８に記載のセンサ装置（１）。
【請求項１０】
前記第２の評価制御ユニット（３Ｂ）は、対応するセンサ電流（ＩＳ）を直接的に第２の測定電流（ＩＭ２）として受信して評価する、
請求項８又は９に記載のセンサ装置（１）。
【請求項１１】
各前記センサエレメント（ＷＳＳ）の第２の端子（ＷＳＳ２）は、前記接続モジュール（１０，１０Ｂ）内でアースに接続されており、前記第２の評価制御ユニット（３Ｂ）は、接続された前記エネルギ源（ＶＢ１，ＶＢ２）と対応する前記センサエレメント（ＷＳＳ）との間で検出されるセンサ電流（ＩＳ）を評価する、
請求項１乃至７のいずれか一項に記載のセンサ装置（１）。
【請求項１２】
各前記接続モジュール（１０，１０Ｂ）内に、接続された前記エネルギ源（ＶＢ１，ＶＢ２）と対応する前記センサエレメント（ＷＳＳ）との間の前記センサ電流（ＩＳ）を検出して測定電流（ＩＭ１，ＩＭ２）として前記第１の評価制御ユニット（３Ａ）及び／又は前記第２の評価制御ユニット（３Ｂ）に供給する電流処理部（３０）が配置されている、
請求項１１に記載のセンサ装置（１）。
【請求項１３】
各前記電流処理部（３０）は、電流路に挿入された電流センサ（３２）を含み、前記電流センサ（３２）は、対応する前記センサ電流（ＩＳ）の一部分（ＩＳ／ｎ）を分岐させ、前記第１の評価制御ユニット（３Ａ）及び／又は前記第２の評価制御ユニット（３Ｂ）に転送する、
請求項９乃至１２のいずれか一項に記載のセンサ装置（１）。
【請求項１４】
前記第１の評価制御ユニット（３Ａ）及び／又は前記第２の評価制御ユニット（３Ｂ）は、少なくとも接続された各前記センサエレメント（ＷＳＳ）に対して１つの入力接続部（ＲＭＡ）を有し、前記入力接続部（ＲＭＡ）は、各前記センサ電流（ＩＳ）の一部分（ＩＳ／ｎ）を各前記センサ電流（ＩＳ）に対応する付属の測定信号に変換する、
請求項１３に記載のセンサ装置（１）。
【請求項１５】
各前記電流処理部（３０）は、電流調整部（３４）を含み、前記電流調整部（３４）は、対応する前記電流センサ（３２）と前記第１の評価制御ユニット（３Ａ）との間、及び／又は、対応する前記電流センサ（３２）と前記第２の評価制御ユニット（３Ｂ）との間に配置されており、前記センサ電流（ＩＳ）の一部分（ＩＳ／ｎ）を前記センサ電流（ＩＳ）に対応する付属の測定電流（ＩＭ１，ＩＭ２）に変換する、
請求項１３に記載のセンサ装置（１）。
【請求項１６】
前記電流処理部（３０）は、エネルギ蓄積器（ＣＨ）を含む第１の補助電圧形成部（３５）を含み、前記エネルギ蓄積器（ＣＨ）は、加算点（ＳＰ）に、前記エネルギ源（ＶＢ１，ＶＢ２）の給電電圧よりも低い第１の補助電圧（ＶＨ１）を送出し、前記加算点（ＳＰ）は、前記切り替え装置（２０）と前記電流センサ（３２）との間の前記エネルギ蓄積器（ＣＨ）を充電するために、接続された前記センサエレメント（ＷＳＳ）のセンサ電流路に接続されている、
請求項１５に記載のセンサ装置（１）。
【請求項１７】
前記加算点（ＳＰ）は、それぞれ逆流防止ダイオード（Ｄ３）及び電流源（ＩＱ）を介して、接続された前記センサエレメント（ＷＳＳ）のセンサ電流路に接続されている、
請求項１６に記載のセンサ装置（１）。
【請求項１８】
前記電流処理部（３０）は、直流電圧変換器（ＤＣ／ＤＣ）として構成されておりかつ前記第１の補助電圧（ＶＨ１）をより低い第２の補助電圧（ＶＨ２）に変換する第２の補助電圧形成部（３６）を含む、
請求項１５乃至１７のいずれか一項に記載のセンサ装置（１）。
【請求項１９】
前記第２の補助電圧（ＶＨ２）は、前記電流調整部（３４）に供給される、
請求項１８に記載のセンサ装置（１）。
【請求項２０】
前記電流処理部（３０）は、給電電圧が欠落した場合に、接続された１つのセンサエレメント（ＷＳＳ）に対し、接続された他のセンサエレメント（ＷＳＳ）のセンサ電流路から形成される第３の補助電圧（ＶＨ３）を供給する非常電圧形成部（３７）を含む、
請求項１６乃至１９のいずれか一項に記載のセンサ装置（１）。
【請求項２１】
前記非常電圧形成部（３７）は、前記第２の補助電圧（ＶＨ２）をより高い第３の補助電圧（ＶＨ３）に変換する直流電圧変換器（３８）と、スイッチング装置（ＳＷ）と、逆流防止ダイオード（Ｄ４）とを含み、前記スイッチング装置（ＳＷ）は、前記第３の補助電圧（ＶＨ３）を該当するセンサ電流路に接続する、
請求項２０に記載のセンサ装置（１）。
【請求項２２】
個々の前記センサエレメント（ＷＳＳ）は、それぞれ２線線路（Ｌ３）を介して、前記接続モジュール（１０）に接続されている、
請求項１乃至２１のいずれか一項に記載のセンサ装置（１）。
【請求項２３】
前記少なくとも２つの制御装置（ＥＣＵ１，ＥＣＵ２）は、それぞれ２線線路（Ｌ１，Ｌ２）を介して個々の前記接続モジュール（１０）に接続されている、
請求項１乃至２２のいずれか一項に記載のセンサ装置（１）。
【請求項２４】
個々の前記接続モジュール（１０）は、それぞれＡＳＩＣチップとして構成されている、
請求項１乃至２３のいずれか一項に記載のセンサ装置（１）。
【請求項２５】
個々の前記接続モジュール（１０）は、それぞれ対応する前記センサエレメント（ＷＳＳ）のコネクタ内及び／又はケーシング内に配置されている、
請求項１乃至２４のいずれか一項に記載のセンサ装置（１）。
【国際調査報告】
2021517318.tif 000010
2021517318.tif 000011
2021517318.tif 000012
2021517318.tif 000013
2021517318.tif 000014
2021517318.tif 000015
2021517318.tif 000016
2021517318.tif 000017
2021517318.tif 000018
2021517318.tif 000019
2021517318.tif 000020